(57)【要約】      （修正有）【課題】要介護者等が排泄行為を通じて自らの臀部を落ち込ます不安がなく、しかも落ち込みを我慢する必要もなく、また排泄処理後においてもベッドの前後間に臀部を挟み込むことのないような排泄物処理装置を提供する。【解決手段】排泄物処理装置は、洗浄手段５と排出手段５０から主になっており、洗浄手段は排泄物受器６を備えている。ベッド敷設材には、要介護者等の臀部位置に対応すべく形成された凹所内に上面開放状の排泄物受器が設置され、洗浄手段としては、洗浄水タンク２４と洗浄水ポンプ２９とが給水手段２３として設けられている他に、洗浄水ポンプに接続され洗浄水を噴射する身体洗浄手段１０と、洗浄水ポンプに接続され一定方向に排泄物を流す器内洗浄手段１５と、乾燥気を吹き付ける乾燥手段８０とが構成され、排出手段としては、排泄物受器と負圧吸引手段６０との間に設けられた汚水中継タンク５２が構成されるとともに、汚水中継タンクには、汚水を受け入れて別位置にその汚水を移送排除可能な汚水受処理タンク５３が接続されている。【選択図】図１
0003230279.tif 000002
【実用新案登録請求の範囲】
【請求項１】
ベッド敷設材には、要介護者等の臀部位置に対応すべく形成された凹所内に上面開放状の排泄物受器が設置され、同排泄物受器には、洗浄手段と排出手段とが構成され、洗浄手段としては、洗浄水タンクと洗浄水ポンプとが給水手段として設けられている他に、洗浄水ポンプに接続され要介護者等の臀部排泄機能部分周りに洗浄水を噴射する身体洗浄手段と、洗浄水ポンプに接続され排泄物受器内に洗浄水を噴射して受器内を洗浄しながら一定方向に排泄物を流すようにする器内洗浄手段と、乾燥気を吹き付ける乾燥手段とが構成され、前記排出手段としては、排泄物受器と負圧吸引手段との間に設けられた汚水中継タンクが構成されるとともに、前記汚水中継タンクには、汚水を受け入れて別位置にその汚水を移送排除可能な汚水受処理タンクが接続され、給水手段を含む洗浄手段・乾燥手段・排出手段等を操作制御する制御手段が構成されている排泄物処理装置。
【請求項２】
ベッド敷設材には、要介護者等の臀部位置に対応すべく形成された凹所内に上面開放状の排泄物受器が設置され、同排泄物受器には、洗浄手段と排出手段とが構成され、洗浄手段としては、排泄物受器に泡噴射ノズルを臨ませた発泡手段と、洗浄水タンクと洗浄水ポンプとが給水手段として設けられている他に、洗浄水ポンプに接続され要介護者等の臀部排泄機能部分周りに洗浄水を噴射する身体洗浄手段と、洗浄水ポンプに接続され排泄物受器内に洗浄水を噴射して受器内を洗浄しながら一定方向に排泄物を流すようにする器内洗浄手段と、乾燥気を吹き付ける乾燥手段とが構成され、前記排出手段としては、排泄物受器と負圧吸引手段との間に設けられた汚水中継タンクが構成されるとともに、前記汚水中継タンクには、汚水を受け入れて別位置にその汚水を移送排除可能な汚水受処理タンクが接続され、給水手段を含む洗浄手段・乾燥手段・排出手段等を操作制御する制御手段が構成されている排泄物処理装置。
【請求項３】
ベッド敷設材には、要介護者等の臀部位置に対応すべく形成された凹部内に上面開放状の排泄物受器が設置され、同排泄物受器には、下部の主洗浄手段と排出手段とが構成され、主洗浄手段としては、洗浄水ポンプ付きの給水手段が設けられている他に、洗浄水ポンプに接続され排泄物受器内に洗浄水を噴射して受器内を洗浄しながら一定方向に排泄物を流すようにする噴射手段と、乾燥気を吹き付ける乾燥手段とが構成され、前記排泄物受器には、少なくとも排尿分をその前方から受け止めて同排泄物受器まで流す排尿受ガイド盤が排尿器官出口前方まわりを覆うように排泄物受器から立ち上がり状にかつ着脱式に装着され、洗浄手段として前記主洗浄手段の他に排泄器官出口まわりおよび／または排尿受ガイド盤内に洗浄水を噴射して洗浄する副洗浄手段が身体の両脚基部上に被せられるようにマウント可能に構成され、この副洗浄手段は、身体の両脚基部上に跨るように載設されるマウント基台と、前記マウント基台の底部側に左右一対突出配備され各股まわりに添設されてマウント基台の身体に対する位置決めを一定のものにするマウント位置決めサポータと、該サポータ間に横向きの回転軸を介して前後に回転自在に縦向きに装備され上部に洗浄のための供給手段が接続される一方下部先端には前記排尿受ガイド盤内に対し洗浄のための流体を噴射可能にする噴射部を備えた流体噴射体とからなっている排泄物処理装置。
【考案の詳細な説明】
【技術分野】
【０００１】  本考案は、排泄物処理装置に関する。
【背景技術】
【０００２】  老人介護施設、各種病院、一般家庭などにおいては、近年、ベッドから自らトイレまで行って排泄を済ませるのが困難な寝たきり患者のような要介護者が多くなってきているのが実情である。そうした人達に対しては介護ヘルパーの方達による排泄等の処置を含む介助が必要とされるのであるが、そうした介助の必要なくして要介護者自身がベッドに寝たままで簡単かつ清潔に排泄から排泄物の捕集・除去などの一貫した処理が行えるようにしたいという要求も多々ある。そうした自動処理についての提案も多くなされており、例えば、その一例として特許文献１に開示されたものがある。
【先行技術文献】
【特許文献】
【０００３】
【特許文献１】特開２００１−２５４５２２（該当個所：図１３，図１４ならびに［００２９］〜［００３４］）
【考案の概要】
【考案が解決しようとする課題】
【０００４】  特許文献１には排泄物処理装置、特に介護用ベッドの技術が例示され、ベッドは、上半身受部と同受部を基準にして前後に進退可能な下半身受部とに分けて構成しておいて、用を足す前にはリモコン操作をして上半身受部側から下半身受部を離す方向に移動制御してその離れた間にスペースを形成するように、そのスペースを利用して排泄物処理槽をリフトアップさせてその吸盤が寝ている人の臀部に密着するように制御されるものになっている。そして、排泄が済まされたあとは吸盤内や臀部などを対象に放射洗浄されてそれら排泄物等を排除パイプを通じて排除するようになっている。そして洗浄後は下半身受部が上半身受部とともに１つのベッドを構成して元の平時状態に戻される。
ところで、前記排泄物処理装置付きベッドによれば、排泄物処理前においては下半身受部が足先方向に引き離すようにされるため要介護者はその臀部が支えを失って落ち込むようになり、その後排泄物処理槽が持ち上げられて臀部を支えるようにするも排泄後にあっては排泄物処理槽が引下げられることから引き下げられたあとは臀部がその支えを全く失くして落ち込むようになって要介護者はそれを落ち込まないように力を入れて持ち戻す努力をする必要があり、要介護者の排泄行為は不安定なものとなる。また排泄物処理を終えたあとには下半身受部は上半身受部側に引き戻されるが、その前の段階では、臀部は下半身受部と上半身受部間に落ち込んだ状態にあることから、そのまま下半身受部の引き戻し駆動を行うと臀部が下半身受部と上半身受部との間に挟まれたりして危険ですらある。【０００５】  本考案は、こうした問題を解決しようとするものであり、要介護者等が排泄行為を通じて自らの臀部を落ち込ます不安がなくしかも落ち込みを我慢する必要もなく、また排泄処理後においてもベッドの前後間に臀部を挟み込むことのないような排泄物処理装置を提供することを目的とする。
【課題を解決するための手段】
【０００６】  本考案は上記目的を達成するため、請求項１に記載の考案は、ベッド敷設材には、要介護者等の臀部位置に対応すべく形成された凹所内に上面開放状の排泄物受器が設置され、同排泄物受器には、洗浄手段と排出手段とが構成され、洗浄手段としては、洗浄水タンクと洗浄水ポンプとが給水手段として設けられている他に、洗浄水ポンプに接続され要介護者等の臀部排泄機能部分周りに洗浄水を噴射する身体洗浄手段と、洗浄水ポンプに接続され排泄物受器内に洗浄水を噴射して受器内を洗浄しながら一定方向に排泄物を流すようにする器内洗浄手段と、乾燥気を吹き付ける乾燥手段とが構成され、前記排出手段としては、排泄物受器と負圧吸引手段との間に設けられた汚水中継タンクが構成されるとともに、前記汚水中継タンクには、汚水を受け入れて別位置にその汚水を移送排除可能な汚水受処理タンクが接続され、給水手段を含む洗浄手段・乾燥手段・排出手段等を操作制御する制御手段が構成されている。
請求項２に記載の考案は、ベッド敷設材には、要介護者等の臀部位置に対応すべく形成された凹所内に上面開放状の排泄物受器が設置され、同排泄物受器には、洗浄手段と排出手段とが構成され、洗浄手段としては、排泄物受器に泡噴射ノズルを臨ませた発泡手段と、洗浄水タンクと洗浄水ポンプとが給水手段として設けられている他に、洗浄水ポンプに接続され要介護者等の臀部排泄機能部分周りに洗浄水を噴射する身体洗浄手段と、洗浄水ポンプに接続され排泄物受器内に洗浄水を噴射して受器内を洗浄しながら一定方向に排泄物を流すようにする器内洗浄手段と、乾燥気を吹き付ける乾燥手段とが構成され、前記排出手段としては、排泄物受器と負圧吸引手段との間に設けられた汚水中継タンクが構成されるとともに、前記汚水中継タンクには、汚水を受け入れて別位置にその汚水を移送排除可能な汚水受処理タンクが接続され、給水手段を含む洗浄手段・乾燥手段・排出手段等を操作制御する制御手段が構成されている。
請求項３に記載の考案は、ベッド敷設材には、要介護者等の臀部位置に対応すべく形成された凹部内に上面開放状の排泄物受器が設置され、同排泄物受器には、下部の主洗浄手段と排出手段とが構成され、主洗浄手段としては、洗浄水ポンプ付きの給水手段が設けられている他に、洗浄水ポンプに接続され排泄物受器内に洗浄水を噴射して受器内を洗浄しながら一定方向に排泄物を流すようにする噴射手段と、乾燥気を吹き付ける乾燥手段とが構成され、前記排泄物受器には、少なくとも排尿分をその前方から受け止めて同排泄物受器まで流す排尿受ガイド盤が排尿器官出口前方まわりを覆うように排泄物受器から立ち上がり状にかつ着脱式に装着され、洗浄手段として前記主洗浄手段の他に排泄器官出口まわりおよび／または排尿受ガイド盤内に洗浄水を噴射して洗浄する副洗浄手段が身体の両脚基部上に被せられるようにマウント可能に構成され、この副洗浄手段は、身体の両脚基部上に跨るように載設されるマウント基台と、前記マウント基台の底部側に左右一対突出配備され各股まわりに添設されてマウント基台の身体に対する位置決めを一定のものにするマウント位置決めサポータと、該サポータ間に横向きの回転軸を介して前後に回転自在に縦向きに装備され上部に洗浄のための供給手段が接続される一方下部先端には前記排尿受ガイド盤内に対し洗浄のための流体を噴射可能にする噴射部を備えた流体噴射体とからなっている。
【考案の効果】
【０００７】  上述したように請求項１に記載の考案は、ベッド敷設材には、要介護者等の臀部位置に対応すべく形成された凹所内に上面開放状の排泄物受器が設置され、同排泄物受器には、洗浄手段と排出手段とが構成され、洗浄手段としては、洗浄水タンクと洗浄水ポンプとが給水手段として設けられている他に、洗浄水ポンプに接続され要介護者等の臀部排泄機能部分周りに洗浄水を噴射する身体洗浄手段と、洗浄水ポンプに接続され排泄物受器内に洗浄水を噴射して受器内を洗浄しながら一定方向に排泄物を流すようにする器内洗浄手段と、乾燥気を吹き付ける乾燥手段とが構成され、前記排出手段としては、排泄物受器と負圧吸引手段との間に設けられた汚水中継タンクが構成されるとともに、前記汚水中継タンクには、汚水を受け入れて別位置にその汚水を移送排除可能な汚水受処理タンクが接続され、給水手段を含む洗浄手段・乾燥手段・排出手段等を操作制御する制御手段が構成されているので、要介護者等が排泄行為を通じて自らの臀部を落ち込ます不安がなくしかも落ち込みを我慢する必要もなく、また排泄処理後においてもベッドの前後間に臀部を挟み込むことのないような排泄物処理装置を提供することができる。
【図面の簡単な説明】
【０００８】
【図１】  本考案の排泄物処理装置の一実施形態を示す模式図。
【図２】  図１のＩＩ−ＩＩ線拡大模式横断面図。
【図３】  図２のＩＩＩ−ＩＩＩ線模式断面図。
【図４】  身体洗浄パイプの他の実施形態を示す断面図。
【図５】  排泄物受器の他の実施形態を示す平面模式図。
【図６】  排泄物受器の他の実施形態を示す平面模式図。
【図７】  排泄物受器の他の実施形態を示す平面模式図。
【図８】  他の実施形態を示す排泄物受器要部の断面図。
【図９】  他の実施形態を示す排泄物受器要部の断面図。
【図１０】  他の実施形態を示す図１１のＸ−Ｘ線断面図。
【図１１】  図１０のＸＩ−ＸＩ線断面図。
【図１２】  付加的な提案例を示す縦断面図。
【図１３】  他の付加的な提案例を示す縦断面図。
【考案を実施するための形態】
【０００９】  以下、本考案である排泄物処理装置の一実施形態を図１ないし図３を参照しつつ説明する。
これらの図において１はベッド（全体）で、図１では同ベッド１のフレーム上に載設されたクッション式ベッド敷設材２の上半部分の一部のみを示す。このベッド敷設材２は、図では１５ないし３０ｃｍ程度の分厚い本体に相当するものになっているが、同本体の上に敷く薄手の上敷マットであることもある。このベッド敷設材２の上側には自ら立ち上がって歩行困難で介護者を要するところの要介護者等（要介護者と略称する）３が仰向けになっており、図示部分は排尿および排便の局所４ａ、４ｂを中心とするその周り相当部分を略して示してある。図１の矢印Ｘは排尿方向を、矢印Ｙは排便方向をそれぞれ示している。この要介護者３は、通常は上下装寝着は装って休んでいるが、用を足すときには本人あるいは介護者の協力を得て下着を含む下装寝着のみは脱ぐか下へずらせて下半身の少なくとも臀部４周りを露呈した状態とするようになっている。そうしたとき、下着は着けたままとし一部のみを展開して局所４ａ、４ｂを開き得るような方式にしてもよい。ａは上装寝着である。
【００１０】  この排泄物処理装置は、洗浄手段５と排出手段５０から主になっている。
洗浄手段５は排泄物受器６を備え、この排泄物受器６は、ＳＵＳあるいは樹脂製でなり、平面がベッド前後方向に長手な略矩形状（図２においてＷ１：２０ｃｍ、Ｌ：３０ｃｍ）の受皿型をしており底面はベッド上手側に下がり傾斜して中の排泄物などが上手向き（図の左向き）に流れやすくなるようになっている。
同排泄物受器６は、ベッド敷設材２の臀部４に対応する部分に形成された凹所７内に嵌め込まれてその上端開口８がベッド敷設材２の上面と同面状となるようになっている。排泄物受器６の外縁には安定化のためのフランジを設けておいてもよい。
【００１１】  １０は身体洗浄手段、１５は受器内洗浄手段であり、身体洗浄手段１０は、ベッド敷設材２内に基部が支持され噴射口１１…が設けられた管先部が排泄物受器６内に左右一対上手向きに伸びた樹脂あるいは金属製等の身体洗浄パイプ１２，１２を備えている。身体洗浄パイプ１２，１２は、上端開口８よりも２ないし３ｃｍ（３ｃｍ以下１０ｃｍでもよい）下がった高さに先部が水平にして臨むように水平で左右一対配備されており、その噴射口１１…は、垂直真上に洗浄水を噴き上げるのでなく目的とする局所、特に局所４ｂにめがけて洗浄水を噴射するよう図３の逆Ｖ字軌跡となるように指向されている。
【００１２】  この身体洗浄パイプ１２，１２は、排便時に排泄物がかからないようにＷ２が１５ｃｍ程度互いに離間して配置されている。
同パイプ１２Ａ，１２Ａは、図２のＷ３のように１７ないし１９ｃｍ程広く離間させるようにすると排泄物と干渉しにくくなる。
また、同パイプ１２は、基部をベッド１内のガイドパイプを通じて前後に進退可能にしておけば、排泄時に後退させておけば排泄物との干渉が避けられ排泄後は所要の洗浄が達成されるようになる。その場合、同パイプ１２は、先部を含む全体がベッド１に出没自在に構成されることもある。特にパイプ１２Ｂを出し入れさせず固定配置する場合には、図２に示すように単一本型にしてもよい。
同パイプ１２，１２は、ベッド１の下手を介して支持されていたが、図２に示すように、上手や横手を通じて固定あるいは出し入れ自在に支持するようにしてもよい。
【００１３】  前記器内洗浄手段１５は、排泄物受器６の下手の壁に噴射ノズル１６，１６を配置した器内洗浄パイプ１７を左右一対配備してある。噴射ノズル１６，１６から噴射される洗浄水は排泄物受器６内の排泄物を上手の方向に押しやるように作用する。この器内洗浄パイプ１７は１本でも３本でもよい。ノズル１６は排泄物受器６の壁内に埋め込まれているので排泄物による影響を受けるおそれがない。この器内洗浄パイプ１７は、図２に仮想線で示すように排泄物受器６の内周に添って設けるもの周内洗浄パイプ１７Ａに代えて構成したり、前記下手に設けた器内洗浄パイプ１７と組み合わせて構成してもよい。同周内洗浄パイプ１７Ａは、全体として渦巻流を形成するようにしたものが排出効率の点から望ましく、そのことは図２に同時図示した斜向洗浄パイプ１７Ｂによっても達成される。
【００１４】  身体洗浄パイプ１２には上向き放水管路１９が、器内洗浄パイプ１７には排出放水管路２０がそれぞれホースとして接続されており、これら両管路１９，２０には分配弁１９ａ、２０ａが設けられるとともに、その上手には電磁弁式の洗浄水弁２１が１つの弁として設けられている。
【００１５】  ２３は給水手段で、消毒液とともに給水がなされる洗浄水タンク２４が設けられている。同タンクにはシリコンラバー式のヒーター２５が設けられて温水化が可能になっている。２６はドレン、２７は給水弁（自動弁）で、給水弁２７と前記洗浄水弁２１との間をつなぐホースである給水管路２８には洗浄水ポンプ２９が設けられている。
【００１６】  尚、身体洗浄パイプ１２は、図３のように、一定角度範囲で往復回転して局所４ｂに残るものをより効果的に洗浄除去できるようにすることがある。
身体洗浄パイプ１２と器内洗浄パイプ１７とは、図３の上欄に取出して示すように単一本を元にしそのパイプ内に仕切を入れることでその上下を身体洗浄パイプ１２と器内洗浄パイプ１７に区成して２つのパイプを構成するようにしてもよい。この場合、図３右欄図のように両パイプ１２，１７は上下２本のパイプを重ね合わせた形式にすることができる。両パイプ１２，１７は、排泄物受器６内の左右に一対設けられているが、排泄物受器６内の幅内中間に単一本式に設ける方式にしてもよい。このように両パイプ１２，１７を上下に配して下側に器内洗浄パイプ１７に配置しその噴射ノズル１６を下向きに噴射可能にしておくと、その下方にくるであろう排泄物を強力噴射により効果的に崩壊させることができ、そのことから排泄物を器外排出口３８を通じて負圧吸引しやすくなる。
また、身体洗浄パイプ１２は、先部が水平に伸びていたが、図４に示すように、先部を下がり傾斜パイプ状に形成しておいてその噴射口１１からの水が局所４ｂに対しより的確に当てられるようにすることがある。
【００１７】  図１ないし図３における３３は発泡手段で、構成される場合とそうでない場合とがある。排泄物受器６の左右側壁に対向状をなして設けた泡噴射ノズル３４と、同ノズル３４に接続された泡起生部３５と、泡元流体パイプ３６とでなる。泡元流体パイプ３６の基源には流体タンクとポンプが接続されている。
これら発泡手段３３からの起生泡３７は、要介護者３が実際に排便を行う前にリモコン操作によるポンプ駆動により排泄物受器６の底面上に噴射され一定団厚以上を形成するようにされる。発泡手段３３を設けたのは、排泄物がその上に静載されるようになることで排泄物が排泄物受器６の底面に密着せずまた器内洗浄パイプ１７から噴射された洗浄水によって排泄物受器６の器外排出口３８へ残さず排出されるようにするためである。器外排出口３８には、後述する負圧吸引力が作用する。
この発泡手段３３は、図３、図５ないし図９のように排泄物受器６の底部に設けるようにしてもよい。同発泡手段３３は、特許第６２６２９６３号に例示されているものや市販の泡ハンドソープ製品の発泡部分に使用されている構造を利用することができる。発泡手段３３は、図２ないし図９の各図において種々方法が同時表示されているが、実施に当たってはそのうちの１つの方法があるいは複数の方法を合わせて適用されるものである。
【００１８】  排泄物受器６の平面形状は、図５のような楕円形状をしたものの他に、図６のような円形状をしたもの、さらには図７のような三角形状をしたものなどでもよい。
また、排泄物受器６は図８のように縦断面において半楕円形状をしたものや半円形状をしたものにしてもよい。図９のようにＶ字形状をしたものにしてもよい。図８、図９の排泄物受器６は、幅間中央寄りが低くなっているので排泄物が中央に集まりやすくしかも排出もされやすくなる。
【００１９】  前記排出手段５０は、排泄物受器６で受け入れられ洗浄水とともに汚水排出管路５１を通じて導出するようにする汚水中継タンク５２を備える。汚水中継タンク５２には、同タンク５２内の汚水（汚濁物）を汚水受処理タンク５３に導いたり停止したりする排出弁（自動弁）５４が設けられている。
【００２０】  排出手段５０には負圧吸引手段６０が併せて構成されている。負圧吸引手段６０は、循環水タンク６１を備え、同タンク６１にはドレン６２と循環水取出管路６３が設けられ、同管路６３に循環水弁６４と循環水ポンプ６５が設けられている。循環水ポンプ６５からの駆動水供給管路６７の末端である駆動水口６８を介してエジェクタ７０に接続され、このエジェクタ７０からの吐出水口７１からのリターン管路７２が前記循環水タンク６１の上端に連通状に接続されている。一方、汚水中継タンク５２からの負圧作用管路７３がエジェクタ７０の負圧作用口７４に接続されている。８０は乾燥手段で、乾燥器８１と温風パイプ８２とを備えている。温風パイプ８２の先端は排泄物受器６内に臨んでいる。
【００２１】  例えば、病気療養中の要介護者３が便意（尿意も含む）を感じたとき、要介護者本人あるいは介護者の手を借りて要介護者３の下装寝着を下手へずらすかあるいは図１のように完全に脱ぎ去るようにするとともに、臀部４を排泄物受器６上に対応させて排便に好適な位置取りをするようにする。発泡手段３３を備える場合は、便意を感じた直ぐあとにリモコン（制御手段の一つ）を操作して発泡手段３３を作動させ排泄物受器６内に発泡してその底面上に起生泡３７を待機させておくようにする。このようにすると排泄物は予め待機させてあった起生泡３７の上に一時的に載せられる形となり底面に密着して排出しにくくなるおそれがなくなる。
しかし、装置によっては発泡手段３３を構成せず洗浄水のみで排出するようにする場合もある。
【００２２】  排泄が済むと、リモコンにより給水弁２７・洗浄水弁２１・分配弁１９ａ，２０ａを開くとともに洗浄水ポンプ２９を駆動させることにより消毒液を混合した洗浄水を身体洗浄パイプ１２から洗浄水を局所４ｂにまた噴射ノズル１６を通じて排泄物受器６内に噴射するようになっている。これにより、局所４ｂが洗浄処理されるだけでなく排泄物が器外排出口３８を通じて洗浄水とともに排出される。
【００２３】  洗浄水ポンプ２９が起動されると同時にあるいは数秒遅らせて循環水ポンプ６５が起動され、これにより、循環水タンク６１内の循環水は駆動水としてエジェクタ７０内に導かれリターン管路７２を通じて循環水タンク６１に還流されることになってその強制水循環によりエジェクタ７０から連通する負圧作用管路７３・汚水排出管路５１を通じて排泄物受器６内に負圧を作用させることで排泄物を器外排出口３８を介して洗浄水とともに汚水中継タンク５２内に吸引排出することができる。
【００２４】  汚水中継タンク５２内に吸引され溜められた排泄物混じりの汚水は、排出弁５４を自動開放することで汚水受処理タンク５３内に排出される。その際、排出弁５４は開放した状態とされるが洗浄水ポンプ２９の方は運転を継続することにより排泄物受器６・汚水排出管路５１および汚水中継タンク５２を洗浄するようにしてのち洗浄水ポンプ２９を停止するようにする。洗浄水ポンプ２９の停止とともに循環水ポンプ６５は英紙し、その後一定時間をおいて循環水弁６４を閉止する。
【００２５】  洗浄水ポンプ２９と循環水ポンプ６５の両停止後、乾燥器８１を起動させ排泄物受器６内に温風を送ることによって局所４ｂまわりを乾かすようにする。これまでの一連の動作はタイマーによる自動運転とする。装置内には脱臭ファンを設け、脱臭機能付きフィルターおよび活性炭等を通じて脱臭を行い臭いの流出拡散を防ぐものとする。汚水受処理タンク５３には一定量の排泄物混じりの汚水が溜められるが、それが一定量を超えた時点で移送により排除されるものとする。
【００２６】  図１０および図１１は排泄物処理装置の他の実施形態を示す。
これらの図において１０１は要介護者で、図１１の矢印Ｘは排尿方向を、矢印Ｙは排便方向をそれぞれ示す。この要介護者１０１は、下半身装身着（特殊下着パンツ）１０２を穿いてベッド１０３上で介護を受けるようになっている。下半身装身着１０２は図１０および図１１に矢印で示すように臀部中央帯部から下周りを介する前下腹部あたりにまで対応する中央前下回り帯１０５のみが他の本体部分１０２に対して面ファスナー１０６を介して脱着めくり上げ可能になっている。
【００２７】  １１０はベッド受枠で、床面から一定高さのところにその上枠部１１０ａが位置し、その上枠部１１０ａの上部一面にはベッド敷設材（本体）１１１を支えるベッド敷面材１１２が設けられている。
ベッド敷設材１１１は、２０ｃｍ前後の一定厚さの弾性質を有するものとされその臀部下方近くに対応する上層部には上からみて角を丸くした矩形状をし深さ１０ｃｍ前後を呈する凹部１１３が形成されている。
この凹部１１３には、ベッド敷設材１１１と同じ上面レベルとなるようにウレタン、シリコンあるいはスポンジゴム質である軟質樹脂製の受パッド１１５が嵌装されるとともに、この受パッド１１５は、平面視すると縦横が４００ｍｍ程度で厚みが１００ｍｍ前後の弾性質材とされるとともに、上側凹所１１６と下側凹所１１７とを有する。
受けパッド１１５は図のように仰向けとなった要介護者１０１が臀部を含むその上下身体部分を載せ付けると一定量（３０ないし５０ｍｍ前後）弾性（沈み）変形するような材質設定となっている。
【００２８】  上側凹所１１６内には、排泄物受器上部１２０が嵌め込み状に装着されている。この排泄物受器１２０は、中央上側に上受入口１２１を下側に下通口１２２を形成した受皿状の受入れ環部１２３と、受入れ環部１２３の上端外周に設けられ受パッド１１５の上側凹所１１６上に添って密着される外周カバー環部１２５とを有する軟質樹脂製のものとされている。
【００２９】  下側凹所１１７内には、排泄物受器下部１３０が嵌め込み状に装着されている。排泄物受器上部１２０と下部１３０とは一つの排泄物受器１２９を構成する。
この排泄物受器下部１３０は、上部１２０の下端の下通口１２２と連通状をなす上通口１３１を上端開放状に備え底部１３２を有する有底状をした薄板製ＳＵＳあるいは樹脂一体成形品などの略八角形をした容器であって、該排泄物受器下部１３０の上通口１３１周りには、前記受入れ環部１２３の底面に接着あるいは粘着により接合されるフランジ１３４が設けられるとともに、周部１３５はやや変形的な八角形の筒状をしたものとされ、さらに底部１３２は全体として排泄物等が所定方向に流れやすくするため足先方向（図１１の右方向）にやや下がり傾斜した放射状面として形成されている。排泄物受器上部２０と下部３０とは上下別体合わせ型となっているが軟質樹脂あるいは硬質樹脂、ＳＵＳ薄板製などにより一体成形したものにしてもよい。
【００３０】  前記底部１３２の左右幅間中央位置には、臀部からの排便器官口を含むその一帯に洗浄水が噴射されるよう多数の底噴き上げ口１３７…が開設されているとともに、それら底噴き上げ口１３７へ洗浄水（あるいは湯水）を供給すべくＵ字溝型をした導水トラフ１３８が設けられている。導水トラフ１３８内には下口金１４０が連通し、その上の上口金１４１は、周部１３５内周に添ってリング状に取り付けられた多孔噴射口付きの下噴射パイプ１４３に連通している。これらの口金１４０，１４１には給水手段１４５が接続されている。周部１３５の内周には、乾燥手段１４７が接続され、また排泄物受器下部１３０の底部１３２の低い個所には排出手段１４９が接続されている。１４８は乾燥気噴出パイプで、排泄物受器上部１３０の内周に添って設けられている。１５０は排出用上噴射パイプで、受入れ環部１２３の内周に添って環状に設けられて前記下噴射パイプ１４３と同様に給水手段１４５に連通して同時作動するようになっている。
【００３１】  １５１はバルブユニット、１５２は全制御系、１５３はセンサーであり、センサー１５３は、要介護者あるいは介護者が尿意あるいは便意を催したときに操作するリモコン１５５からの信号を受けて全制御系１５２を作用させるようになっている。
１５７は加温手段ａ付き乾燥気供給源、１５８は排出物還流部、１５９は加温手段ａ付き給水源である。
【００３２】  １６２は軟質樹脂製などの排尿受ガイド盤で、半円の横断面形状で下向きに次第に大きな断面形状となるように形成されてその下側基部１６３を受入れ環部１２３内の差し込み受片１６４に差し込んだ状態にして身体所定位置に対向させ排尿Ｘを受け止めて図１１の矢印方向に導き排泄物受器下部１３０内に誘導し得るようになっている。
【００３３】  要介護者１０１は通常は下半身装身具１０２を着けその他上半身装身具や外装身具などを着けて寝たりしているが、尿意や便意を催すと要介護者あるいは介護者等は少なくとも下半身装身具１０２を露出するようにするとともにその下半身装身着１０２の要部である中央前下回り帯１０５を図１０、図１１のように開き揚げるようにしかつ臀部を処理装置上に対応するように調整することによって排泄物受器１２９内に的確に排泄できるようにする。その後、排尿受ガイド盤１６２を装着して排尿分がうまく排泄物受器１２９内に誘導されるようにしておく。
【００３４】  排便等の用が済むと要介護者あるいは介護者はリモコン１５５を用意してまず給水手段１４５をＯＮに操作することにより噴射パイプ１４３を通じて排泄物受器下部１３０内に洗浄水を斜め放射流として噴射して排泄物を浮流させながら確実かつ効率的に排出するように対処する。その際、洗浄水は底噴き上げ口１３７を通じても噴き上げられることにより一層効果的に排出できるようになるとともに、上噴射パイプ１５０から噴射される洗浄水が身体の排便器官口まわりなどを噴射洗浄しつつ排泄物受器下部１３０内の斜め放射流を増長して排泄物を渦巻流に乗せて排出方向に流動させる。洗浄水は冬期などの必要に応じて加温手段ａによる温暖水として噴射することもできる。洗浄水（温暖水）には、微細エアーを混合することもある。尚、排泄を催す前の段階で、発泡手段による泡を排泄物受器１２９内底域に投入してその後の排泄物が排泄物受器１２９に密着しないように配慮することがあり、泡でなく排泄前のタイミングで給水を行い排泄物の円滑な排出を促すように配慮することもある。
【００３５】  そののち、排出手段１４９がＯＮとされることで、排泄物は洗浄水とともに排出物還流部１５８内に負圧吸引器による負圧吸引により捕集処理される。その際は洗浄水を追加的に供給すると排泄物を効果的に排出することができる。その排出が終わると、リモコン１５５の操作により乾燥手段１４７がＯＮにされ、乾燥気噴出パイプ１４８よりの乾燥気の噴出により身体の洗浄個所や排泄物受器下部１３０・排泄物受器上部１２０・排尿受ガイド盤１６２などの内面が乾燥され、必要によっては加温手段ａによる温暖気も使用することができる。乾燥が終わると、排尿受ガイド盤１６２が取り外されるとともに中央前下回り帯１０５が元の下回り状態に戻される。そのあとは、必要により外装身具（パジャマのズボンなど）が元通りにされる。排泄物受器上部１２０ないし差込受片１５８までは下部の主洗浄手段１６６を構成する。排尿受ガイド盤１６２は次の上部構成を含めて上部の副洗浄手段１７０を構成する。
【００３６】  上部の副洗浄手段１７０は、排泄器官出口まわりおよび排尿受ガイド盤１６２内に洗浄水を噴射して洗浄するものとして要介護者１０１の両脚基部上に被せられるようにマウント可能に構成されている。この副洗浄手段１７０は、要介護者１０１の両脚基部上に跨るように載設されるゴムあるいは樹脂製のマウント基台１７１と、前記マウント基台１７１の底部側にＬ字形ゴム板あるいは軟質樹脂製として左右一対突出配備され各股まわりに添設されてマウント基台１７１の身体に対する位置決めを一定のものにする柔軟質のマウント位置決めサポータ１７２と、該サポータ１７２間に横向きの回転軸１７３を介して前後に回転自在に縦向きに装備され上部に洗浄のための供給手段１７４が接続される一方下部先端には前記排尿受ガイド盤１６２内に対し洗浄のための流体を噴射可能にする噴射部１７５を備えた流体噴射体１７６とからなっている。供給手段１７４には、
【００３７】  前記マウント位置決めサポータ１７２は、図１１に示すように、その左下角部が身体基部側に当たるようになることでマウント基台１７１や流体噴射体１７６の適正位置が決められるようになっている。即ち、流体噴射体１７６は、縦向きのシリンダ１７８とそこから出入りする噴射部１７５付き噴射筒１７９とによって構成され、噴射筒１７９の先端部はくの字形をした噴射部１７５を備える。先端の噴射部１７５には、上向きノズルａと下斜め向きノズルｂとを備えて上向きノズルａからの洗浄水は排尿出口器官まわりに照射されて排尿器官や排尿受ガイド盤１６２内面などを噴射洗浄し、下斜め向きノズルｂからの洗浄水は排便出口器官まわりに照射されてそのまわりを噴射洗浄するようになっている。
【００３８】  排泄後の必要時には噴射筒１７９を下向きに伸ばすとともに噴射筒１７９を回転により排尿受ガイド盤１６２側のセット凹所１６５内に位置決めすることで噴射部１７５からの洗浄水が図のように上下に噴射されて排泄出口器官まわりや排尿受ガイド盤１６２内に洗浄水が照射して洗浄作用をしてあとは下方の排泄物受器１３０内に集められて排除水が排出されるようにするものである。前記排泄後の必要時とは、上噴射パイプ１５０と下噴射パイプ１４３からの洗浄水噴射がなされると同時あるいはそれ以降のタイミングである。上部の副洗浄手段１７０を含む排泄物処理装置の作用はすべてリモコン１５５による操作により図示しない全制御系１５２によるシステム制御によってなされる。１８０は支持体である。前記供給手段１７４へは、洗浄水の他、乾燥気や殺菌剤の供給がなされ、それぞれを独立した供給経路で構成される。洗浄・乾燥を終えたあとは上部の副洗浄手段１７０は脚部上から分離・退避される。この副洗浄手段１７０は、簡易ホイストなどの昇降移送装置により脱着回避可能にすることもできる。
【００３９】  図１２は付加的な提案例で、１８５はベッド受枠で、その上にはベッド下層体１８６とベッド敷設材１８７が設けられている。ベッド敷設材１８６に特徴があり、同敷設材１８６の要介護者の臀部に対応する個所には、前記排泄物受器１２９のようなものが嵌め込まれる凹所１８８が幅間中央にあるように形成されているとともに、同受器１２９に接続される各種配管類（洗浄水・排出管・乾燥管・殺菌管など）が通される通孔１８９が１本通し状に形成されている。
【００４０】  図１３は他の実施形態を示すの付加的な提案例を示すもので、１９０は前後の昇降シリンダ機構、１９１は変位型ベッド下層体、１９２は変曲式に一連に繋がれたベッド敷設材であり、このベッド敷設材１９２それ自体を通じて前記凹所１８８や通孔１８９…が形成されて排泄物受器１２９を嵌め込んだり各種配管類が通されるように構成してある。
【符号の説明】
【００４１】  １…ベッド  ２…ベッド敷設材  ３…要介護者  ４…臀部  ５…洗浄手段  ６…排泄物受器  ７…凹所  １０…身体洗浄手段  １５…器内洗浄手段  ２３…給水手段  ２４…洗浄水タンク  ２９…洗浄水ポンプ  ３３…発泡手段  ３４…泡噴射ノズル  ５０…排出手段  ５２…汚水中継タンク  ５３…汚水受処理タンク  ６０…負圧吸引手段  ８０…乾燥手段  １０１…要介護者  １０２…下半身装身具  １０３…ベッド  １１１…ベッド敷設材  １１３…凹部  １２９…排泄物受器  １４５…給水手段  １４７…乾燥手段  １６２…排尿受ガイド盤  １６５…セット凹所  １６６…下部の主洗浄手段  １７０…上部の副洗浄手段  １７１…マウント基台  １７２…マウント位置決めサポータ  １７３…回転軸  １７４…供給手段  １７５…噴射部  １７６…流体噴射体。
【図１】
0003230279.tif 000003
【図２】
0003230279.tif 000004
【図３】
0003230279.tif 000005
【図４】
0003230279.tif 000006
【図５】
0003230279.tif 000007
【図６】
0003230279.tif 000008
【図７】
0003230279.tif 000009
【図８】
0003230279.tif 000010
【図９】
0003230279.tif 000011
【図１０】
0003230279.tif 000012
【図１１】
0003230279.tif 000013
【図１２】
0003230279.tif 000014
【図１３】
0003230279.tif 000015